(57)【要約】【課題】貨物を安定した払い出し供給可能な水平スクリュー式サイロ及びその運転方法を提供する。【解決手段】本発明の水平スクリュー式サイロは、センターコラムと、前記貨物倉の内部の上部位置に配置されて前記貨物倉の中心軸を旋回軸として旋回駆動され、先端が前記壁面側に向かって延びる旋回フレームと、前記旋回フレームの旋回動作に従動すると共に、前記吊下げワイヤの巻き上げ又は繰り出し動作によって前記センターコラムのガイドロッドに沿って上下方向に移動し、前記貨物を前記貨物倉の中心部と前記壁面との間で水平方向に搬送して散布又は集荷を行う水平搬送装置を備え、前記水平搬送装置が前記ガイドロッドを通過する直前の位置を検出可能なセンサと、前記センサの検出値に基づいて、前記水平搬送装置が前記ガイドロッドを通過するときに旋回速度を速めると共に、水平スクリューの回転速度を速める制御を行う制御部を備えたことを特徴とする。【選択図】    図１
2018144896.tif 000002
【特許請求の範囲】
【請求項１】
粒状、塊状またはペレット状の貨物を収容する内部に筒形の壁面を有する貨物倉と、
前記貨物倉の中心に固定配置され、前記貨物が落下することにより前記貨物倉の下方に移動可能に構成されたセンターコラムと、
前記貨物倉の内部の上部位置に配置されて前記貨物倉の中心軸を旋回軸として旋回駆動され、先端が前記壁面側に向かって延びる旋回フレームと、
前記旋回フレームに吊下げワイヤを介して吊り下げられて前記旋回フレームの旋回動作に従動して旋回移動すると共に、前記吊下げワイヤの巻き上げ又は繰り出し動作によって前記センターコラムのガイドロッドに沿って上下方向に移動し、前記貨物を前記貨物倉の中心部と前記壁面との間で水平方向に搬送して散布又は集荷を行うスクリュー式の水平搬送装置を備え、
前記水平搬送装置によって集荷された前記貨物を前記貨物倉の外部に排出する水平スクリュー式サイロにおいて、
前記貨物倉の中心軸を旋回軸として旋回移動する前記水平搬送装置が前記ガイドロッドを通過する直前の位置を検出可能なセンサと、
前記センサの検出値に基づいて、前記水平搬送装置が前記ガイドロッドを通過するときに前記旋回フレームの旋回速度を速めると共に、前記水平搬送装置の水平スクリューの回転速度を速める制御を行う制御部を備えたことを特徴とする水平スクリュー式サイロ。
【請求項２】
粒状、塊状またはペレット状の貨物を収容する内部に筒形の壁面を有する貨物倉と、
前記貨物倉の中心に固定配置され、前記貨物が落下することにより前記貨物倉の下方に移動可能に構成されたセンターコラムと、
前記貨物倉の内部の上部位置に配置されて前記貨物倉の中心軸を旋回軸として旋回駆動され、先端が前記壁面側に向かって延びる旋回フレームと、
前記旋回フレームに吊下げワイヤを介して吊り下げられて前記旋回フレームの旋回動作に従動して旋回移動すると共に、前記吊下げワイヤの巻き上げ又は繰り出し動作によって前記センターコラムのガイドロッドに沿って上下方向に移動し、前記貨物を前記貨物倉の中心部と前記壁面との間で水平方向に搬送して散布又は集荷を行うスクリュー式の水平搬送装置を備え、
前記水平搬送装置によって集荷された前記貨物を前記貨物倉の外部に排出する水平スクリュー式サイロにおいて、
前記ガイドロッドの断面形状を多角形状に形成し、角部を前記水平搬送装置の水平スクリューに向けて取り付けたことを特徴とする水平スクリュー式サイロ。
【請求項３】
粒状、塊状またはペレット状の貨物を収容する内部に筒形の壁面を有する貨物倉と、
前記貨物倉の中心に固定配置され、前記貨物が落下することにより前記貨物倉の下方に移動可能に構成されたセンターコラムと、
前記貨物倉の内部の上部位置に配置されて前記貨物倉の中心軸を旋回軸として旋回駆動され、先端が前記壁面側に向かって延びる旋回フレームと、
前記旋回フレームに吊下げワイヤを介して吊り下げられて前記旋回フレームの旋回動作に従動して旋回移動すると共に、前記吊下げワイヤの巻き上げ又は繰り出し動作によって前記センターコラムのガイドロッドに沿って上下方向に移動し、前記貨物を前記貨物倉の中心部と前記壁面との間で水平方向に搬送して散布又は集荷を行うスクリュー式の水平搬送装置を備え、
前記水平搬送装置によって集荷された前記貨物を前記貨物倉の外部に排出する水平スクリュー式サイロにおいて、
前記ガイドロッドの断面形状を多角形状に形成し、角部を前記水平搬送装置の水平スクリューに向けて取り付けて、
前記貨物倉の中心軸を旋回軸として旋回移動する前記水平搬送装置が前記ガイドロッドを通過する直前の位置を検出可能なセンサと、
前記センサの検出値に基づいて、前記水平搬送装置が前記ガイドロッドを通過するときに前記水平搬送装置の旋回速度を速めると共に、前記水平搬送装置の水平スクリューの回転速度を速める制御を行う制御部を備えたことを特徴とする水平スクリュー式サイロ。
【請求項４】
粒状、塊状またはペレット状の貨物を収容する内部に筒形の壁面を有する貨物倉と、前記貨物倉の中心に固定配置され、前記貨物が落下することにより前記貨物倉の下方に移動可能に構成されたセンターコラムと、前記貨物倉の内部の上部位置に配置されて前記貨物倉の中心軸を旋回軸として旋回駆動され、先端が前記壁面側に向かって延びる旋回フレームと、前記旋回フレームに吊下げワイヤを介して吊り下げられて前記旋回フレームの旋回動作に従動して旋回移動すると共に、前記吊下げワイヤの巻き上げ又は繰り出し動作によって前記センターコラムのガイドロッドに沿って上下方向に移動し、前記貨物を前記貨物倉の中心部と前記壁面との間で水平方向に搬送して散布又は集荷を行うスクリュー式の水平搬送装置を備え、前記水平搬送装置によって集荷された前記貨物を前記貨物倉の外部に排出する水平スクリュー式サイロの運転方法において、
前記貨物の払い出し時に前記貨物倉の中心軸を旋回軸として旋回移動する前記水平搬送装置が前記ガイドロッドを通過する直前の位置を検出する工程と、
前記直前の位置の検出値に基づいて、前記水平搬送装置が前記ガイドロッドを通過するときに前記旋回フレームの旋回速度を速めると共に、前記水平搬送装置の水平スクリューの回転速度を速める制御を行う工程と、
を有することを特徴とする水平スクリュー式サイロの運転方法。
【発明の詳細な説明】
【技術分野】
【０００１】
本発明は、粉体、粒体、塊状又はペレット状等の貨物を筒形構造物内で貯蔵する水平スクリュー式サイロ及びその運転方法に関する。
【背景技術】
【０００２】
粉体、細粒、塊状又はペレット状等の貨物を積み付け効率良く、かつ荷役効率高く積載する水平スクリュー式サイロが提案されている（例えば特許文献１）
このような水平スクリュー式サイロは、例えば陸上に設置され、円筒形の貨物倉に貨物をばら積み状態で積載することができる。
【０００３】
図５は水平スクリュー式サイロの断面図である。図示のように水平スクリュー式サイロ１は、筒形の例えば円筒形の貨物倉１２を備える。貨物倉１２の内部の中心部には、垂直方向に伸びるセンターコラム１４が固定され、その上部に貨物倉１２の上部中央まで延びる旋回筒１６が設けられている。貨物倉１２の内部の上部位置には、旋回筒１６と共に旋回して先端が貨物倉１２の内壁面まで延びる旋回フレーム１８が設けられている。
【０００４】
旋回フレーム１８には、水平搬送装置２０が吊り下げられている。水平搬送装置２０は、貨物倉１２内の貨物の上面高さに応じて旋回フレーム１８からの吊り下げ量の制御によって、上下方向の位置を制御されると共に旋回フレーム１８と共に貨物倉１２内を旋回する。
旋回筒１６の上端には、上から粉状、粒状、塊状又はペレット状の貨物を投入するための供給シュート１６ａが設けられている。供給シュート１６ａの下方には、水平スクリューコンベア１１が配置され、水平スクリューコンベア１１の排出部には、上下方向に伸縮するテレスコピックシュート１３が配置されている。テレスコピックシュート１３の排出口は、水平搬送装置２０の旋回中心側の端部上に接続している。
【０００５】
水平搬送装置２０は、供給シュート１６ａと、水平スクリューコンベア１１、テレスコピックシュート１３を介して受け入れた貨物を径方向の外側に向けて搬送し、その過程で貨物を径方向に平均的に散布する。また、水平搬送装置２０は、旋回フレーム１８による旋回動作で貨物を周方向に均一に散布する。さらに、水平搬送装置２０は、貨物を掻き取って径方向の内側に搬送し、センターコラム１４を介して貨物倉１２の中央下部に払い出す。
貨物倉１２から払い出された貨物は、水平スクリュー式サイロ１の下方に配置された排出コンベア１５を介して外部に搬出される。
【先行技術文献】
【特許文献】
【０００６】
【特許文献１】特許第５９２７６３２号公報
【発明の概要】
【発明が解決しようとする課題】
【０００７】
前述の払い出し作業時において、貨物倉１２内の貨物は、水平搬送装置２０で、貨物倉１２の中心部で多数の円板を垂直方向に隙間を介して積層したセンターコラム１４側に向けて搬送し、センターコラム１４内に落下させている。このとき、水平搬送装置２０はセンターコラム１４の周囲を３６０度回転しながら貨物を払い出している。図６はセンターコラムのガイドロッドの説明図であり、（Ａ）はセンターコラムの側面図であり、（Ｂ）は（Ａ）のａ−ａ断面図である。払い出しによって貨物の上面が低くなった分だけ、水平搬送装置２０を下降させるため、センターコラム１４には、サイロ上部からサイロ底まで連続したガイドロッド１４ａがセンターコラム１４外周に１２０度間隔で３箇所取り付けてある。このガイドロッド１４ａによって旋回フレーム１８と一体となった水平搬送装置２０が安定して上下方向に移動可能となる。
【０００８】
貨物の払い出し時において、水平搬送装置２０の水平スクリューの押し出す先にガイドロッド１４ａが位置するため、貨物の流れを阻害してしまい堰となっている。水平搬送装置２０が貨物倉１２内を一周するうちの３箇所のガイドロッド１４ａにおいて、貨物の払い出し量が低下して一定でなくなる。これにより、払い出し制御が不安定となり、貨物倉１２以降の排出コンベア１５に供給する貨物の排出量も不安定となる。特に、貨物の特性において粘性の高い石膏を払い出す場合に払い出し量が不安定になると、貨物の負荷アンバランスに起因する排出コンベア１５の蛇行原因となる。そうするとコンベアの安全装置が作動してしまい設備が停止する可能性がある。
【０００９】
上記従来技術の問題点に鑑み、本発明は貨物の安定した払い出し供給が可能な水平スクリュー式サイロ及びその運転方法を提供することを目的としている。
【課題を解決するための手段】
【００１０】
上記課題を解決するための第１の手段として、本発明は、粒状、塊状またはペレット状の貨物を収容する内部に筒形の壁面を有する貨物倉と、前記貨物倉の中心に固定配置され、前記貨物が落下することにより前記貨物倉の下方に移動可能に構成されたセンターコラムと、前記貨物倉の内部の上部位置に配置されて前記貨物倉の中心軸を旋回軸として旋回駆動され、先端が前記壁面側に向かって延びる旋回フレームと、前記旋回フレームに吊下げワイヤを介して吊り下げられて前記旋回フレームの旋回動作に従動して旋回移動すると共に、前記吊下げワイヤの巻き上げ又は繰り出し動作によって前記センターコラムのガイドロッドに沿って上下方向に移動し、前記貨物を前記貨物倉の中心部と前記壁面との間で水平方向に搬送して散布又は集荷を行うスクリュー式の水平搬送装置を備え、前記水平搬送装置によって集荷された前記貨物を前記貨物倉の外部に排出する水平スクリュー式サイロにおいて、前記貨物倉の中心軸を旋回軸として旋回移動する前記水平搬送装置が前記ガイドロッドを通過する直前の位置を検出可能なセンサと、前記センサの検出値に基づいて、前記水平搬送装置が前記ガイドロッドを通過するときに前記旋回フレームの旋回速度を速めると共に、前記水平搬送装置の水平スクリューの回転速度を速める制御を行う制御部を備えたことを特徴とする水平スクリュー式サイロを提供することにある。
上記第１の手段によれば、貨物の払い出し時に旋回移動する水平搬送装置がガイドロッドを通過する際の貨物の払い出し量を増やして、ガイドロッドが堰となっていた貨物の不足分を補うことができ、貨物を安定して払い出し供給することができる。
【００１１】
上記課題を解決するための第２の手段として、本発明は、粒状、塊状またはペレット状の貨物を収容する内部に筒形の壁面を有する貨物倉と、前記貨物倉の中心に固定配置され、前記貨物が落下することにより前記貨物倉の下方に移動可能に構成されたセンターコラムと、前記貨物倉の内部の上部位置に配置されて前記貨物倉の中心軸を旋回軸として旋回駆動され、先端が前記壁面側に向かって延びる旋回フレームと、前記旋回フレームに吊下げワイヤを介して吊り下げられて前記旋回フレームの旋回動作に従動して旋回移動すると共に、前記吊下げワイヤの巻き上げ又は繰り出し動作によって前記センターコラムのガイドロッドに沿って上下方向に移動し、前記貨物を前記貨物倉の中心部と前記壁面との間で水平方向に搬送して散布又は集荷を行うスクリュー式の水平搬送装置を備え、前記水平搬送装置によって集荷された前記貨物を前記貨物倉の外部に排出する水平スクリュー式サイロにおいて、前記ガイドロッドの断面形状を多角形状に形成し、角部を前記水平搬送装置の水平スクリューに向けて取り付けたことを特徴とする水平スクリュー式サイロを提供することにある。
上記第２の手段によれば、断面多角形状のガイドロッドが貨物の堰とならず、センターコラムに向けて貨物を払い出し易くなり、安定して外部へ払い出し供給することができる。
【００１２】
上記課題を解決するための第３の手段として、本発明は、粒状、塊状またはペレット状の貨物を収容する内部に筒形の壁面を有する貨物倉と、前記貨物倉の中心に固定配置され、前記貨物が落下することにより前記貨物倉の下方に移動可能に構成されたセンターコラムと、前記貨物倉の内部の上部位置に配置されて前記貨物倉の中心軸を旋回軸として旋回駆動され、先端が前記壁面側に向かって延びる旋回フレームと、前記旋回フレームに吊下げワイヤを介して吊り下げられて前記旋回フレームの旋回動作に従動して旋回移動すると共に、前記吊下げワイヤの巻き上げ又は繰り出し動作によって前記センターコラムのガイドロッドに沿って上下方向に移動し、前記貨物を前記貨物倉の中心部と前記壁面との間で水平方向に搬送して散布又は集荷を行うスクリュー式の水平搬送装置を備え、前記水平搬送装置によって集荷された前記貨物を前記貨物倉の外部に排出する水平スクリュー式サイロにおいて、前記ガイドロッドの断面形状を多角形状に形成し、角部を前記水平搬送装置の水平スクリューに向けて取り付けて、前記貨物倉の中心軸を旋回軸として旋回移動する前記水平搬送装置が前記ガイドロッドを通過する直前の位置を検出可能なセンサと、前記センサの検出値に基づいて、前記水平搬送装置が前記ガイドロッドを通過するときに前記旋回フレームの旋回速度を速めると共に、前記水平搬送装置の水平スクリューの回転速度を速める制御を行う制御部を備えたことを特徴とする水平スクリュー式サイロを提供することにある。
上記第３の手段によれば、旋回移動する水平搬送装置がガイドロッドを通過する際の貨物の払い出し量を増やすと共に、断面多角形状のガイドロッドが貨物の堰とならず、センターコラムに向けて払い出し易くなり、ガイドロッドが堰となっていた貨物の不足分を補うことができ、貨物を安定して払い出し供給することができる。
【００１３】
上記課題を解決するための第４の手段として、本発明は、粒状、塊状またはペレット状の貨物を収容する内部に筒形の壁面を有する貨物倉と、前記貨物倉の中心に固定配置され、前記貨物が落下することにより前記貨物倉の下方に移動可能に構成されたセンターコラムと、前記貨物倉の内部の上部位置に配置されて前記貨物倉の中心軸を旋回軸として旋回駆動され、先端が前記壁面側に向かって延びる旋回フレームと、前記旋回フレームに吊下げワイヤを介して吊り下げられて前記旋回フレームの旋回動作に従動して旋回移動すると共に、前記吊下げワイヤの巻き上げ又は繰り出し動作によって前記センターコラムのガイドロッドに沿って上下方向に移動し、前記貨物を前記貨物倉の中心部と前記壁面との間で水平方向に搬送して散布又は集荷を行うスクリュー式の水平搬送装置を備え、前記水平搬送装置によって集荷された前記貨物を前記貨物倉の外部に排出する水平スクリュー式サイロの運転方法において、前記貨物の払い出し時に前記貨物倉の中心軸を旋回軸として旋回移動する前記水平搬送装置が前記ガイドロッドを通過する直前の位置を検出する工程と、前記直前の位置の検出値に基づいて、前記水平搬送装置が前記ガイドロッドを通過するときに前記旋回フレームの旋回速度を速めると共に、前記水平搬送装置の水平スクリューの回転速度を速める制御を行う工程と、を有することを特徴とする水平スクリュー式サイロの運転方法を提供することにある。
上記第４の手段によれば、旋回移動する水平搬送装置がガイドロッドを通過する際の貨物の払い出し量を増やして、ガイドロッドが堰となっていた貨物の不足分を補うことができ、貨物を安定して払い出し供給することができる。
【発明の効果】
【００１４】
本発明によれば、旋回移動する水平搬送装置がガイドロッドを通過する際の貨物の払い出し量を増やして、ガイドロッドが堰となっていた貨物の不足分を補うことができ、貨物倉から外部へ安定して払い出し供給することができる。
【図面の簡単な説明】
【００１５】
【図１】水平搬送装置の平面図である。
【図２】旋回ローラユニットの説明図である。
【図３】本発明の水平スクリュー式サイロの運転方法の模式図である。
【図４】変形例の水平スクリュー式サイロの運転方法の模式図である。
【図５】水平スクリュー式サイロの断面図である。
【図６】センターコラムのガイドロッドの説明図である。
【発明を実施するための形態】
【００１６】
本発明の水平スクリュー式サイロの実施形態を添付の図面を参照しながら、以下詳細に説明する。
【００１７】
［水平スクリュー式サイロ］
図１は水平搬送装置の平面図である。図２は旋回ローラユニットの説明図であり、（Ａ）は平面図であり、（Ｂ）は第１ローラの断面図であり、（Ｃ）は第２ローラの断面図であり、（Ｄ）は第３ローラの側面図である。
図１に示す水平搬送装置２０は、センターコラム１４の周囲に配置され旋回ローラユニット３０と吊下げワイヤ１８ａとを介して、貨物倉１２内を旋回及び上下移動可能に取り付けられている。水平搬送装置２０は、貨物倉１２内の貨物を貨物倉１２の中心部となるセンターコラム１４と円筒壁面１２ａとの間で水平方向に搬送して散布及び集荷を行うものである。
【００１８】
旋回ローラユニット３０は、センターコラム１４の外周を覆う内リング３２と、内リング３２の外周を覆う外リング３４と、第１ないし第３ローラ３６，３７、３８を備えている。
内リング３２は内周のガイドロッド１４ａと対向する箇所に第３ローラ３８を取り付けている。
第３ローラ３８は、軸心をガイドロッド１４ａの軸心と直交する方向に取り付けてガイドロッド１４ａの長手方向（上下方向）に摺動可能に構成している。
このような内リング３２は、ガイドロッド１４ａを介してセンターコラム１４の長手方向に沿って上下方向に移動自在に構成している。
【００１９】
外リング３４は、内周側に第１及び第２ローラ３６，３７を４つずつセンターコラム１４の外周に等間隔に取り付けている。
第１ローラ３６は、軸心を水平方向かつセンターコラム１４の中心軸から放射状に配置して、内リング３２の上面の上板のテーパに接触して内リング３２の外周に沿って摺動自在に構成している。
第２ローラ３７は、軸心を鉛直方向に配置して内リング３２の外周面と接触して内リング３２の外周に沿って摺動可能に構成している。
このような外リング３４は、内リング３２を第１及び第２ローラ３６，３７で摺動自在に支持して内リング３２の外周に沿って回転自在に構成している。
このような構成の旋回ローラユニット３０は、内リング３２がガイドロッド１４ａを介して上下方向に移動し、外リング３４が内リング３２を介して回転自在（センターコラム１４の中心軸を旋回自在）な構成であり、水平搬送装置２０をセンターコラム１４の中心軸周りを旋回移動させることができる。
【００２０】
水平搬送装置２０は、貨物倉１２の中心軸から円筒壁面１２ａに向かって径方向に延びるスクリューフレーム部２２を有している。本実施形態のスクリューフレーム部２２は、旋回ローラユニット３０と一体接合されている。スクリューフレーム部２２は、貨物倉１２内の貨物を水平方向に搬送するための水平搬送装置２０の長手方向に延びてその短手方向に併設されて一対の水平スクリュー２１ａ，２１ｂを支持している。
【００２１】
またスクリューフレーム部２２は、水平スクリュー２１ａ，２１ｂを駆動するための駆動機２３ａ，２３ｂを円筒壁面１２ａ側の端部に備えている。
各水平スクリュー２１ａ，２１ｂは、貨物を貨物倉１２の中心のセンターコラム１４と円筒壁面１２ａとの間で水平方向に搬送し、散布や分散、集荷や収集を行うものである。これらは、相互に逆方向に回転するように駆動機２３ａ，２３ｂにより駆動される。各水平スクリュー２１ａ，２１ｂは、例えば正回転では貨物が円筒壁面１２ａ側に移動し、逆回転では貨物がセンターコラム１４側へ移動するように構成されている。
【００２２】
センサ４０は、貨物倉１２の中心軸を旋回移動する水平搬送装置２０が、センターコラム１４のガイドロッド１４ａを通過する直前の位置を検出するものである。本実施形態のセンサ４０はスクリューフレーム部２２に取り付けて、旋回移動する水平搬送装置２０とガイドロッド１４ａが所定間隔の時の検出値を検出するものである。一例として、ガイドロッド１４ａに磁気テープ、塗料等の指標を付しておく。またセンサ４０は、誘導式、容量式、電磁式、光電式の検出方式でこの指標を検出可能な構成を採用している。
【００２３】
制御部５０は、センサ４０と、旋回フレーム１８の駆動部と、水平スクリュー２１ａ，２１ｂの駆動機２３ａ，２３ｂと電気的に接続している。通常、制御部５０は、貨物の払い出し時において、所定の旋回フレーム１８の旋回速度及び水平スクリュー２１ａ，２１ｂの回転速度に設定している。そして、水平搬送装置２０がガイドロッド１４ａを通過するときに制御部５０は、センサ４０の検出値に基づいて、旋回フレーム１８の旋回速度を速める（従動する水平搬送装置２０の旋回速度を速める）と共に、水平搬送装置２０の水平スクリュー２１ａ，２１ｂの回転速度を速める制御を行っている。そして、制御部は水平搬送装置２０がガイドロッド１４ａを通過した際には、所定の旋回フレーム１８の旋回速度及び水平スクリュー２１ａ，２１ｂの回転速度に戻すように設定している。
【００２４】
［水平スクリュー式サイロの運転方法］
図３は本発明の水平スクリュー式サイロの運転方法の模式図である。
貨物の払い出し時において、制御部５０により搬送フレーム１８の旋回速度及び水平スクリュー２１ａ，２１ｂの回転速度は、あらかじめ所定の設定値に設定している。そして、貨物倉１２の中心軸を旋回軸として旋回移動する水平搬送装置２０がガイドロッド１４ａを通過する直前の位置をセンサ４０で検出する。
直前の位置の検出値に基づいて制御部５０は、水平搬送装置２０がガイドロッド１４ａを通過するときに水平搬送装置２０の旋回速度を速めると共に、水平搬送装置２０の水平スクリュー２１ａ，２１ｂの回転速度を速める制御信号を送信して制御を行い、貨物の払い出し量を増量している。このような制御は水平搬送装置２０がガイドロッド１４ａを通過する間（図３中の矢印Ａ）のみ行っている。
そして、制御部５０は水平搬送装置２０がガイドロッド１４ａを通過した際には、旋回フレーム１８の旋回速度及び水平スクリュー２１ａ，２１ｂの回転速度を所定の設定値に戻すように制御している。
【００２５】
なお水平搬送装置２０がガイドロッド１４ａを通過したか否かの判断は、センサ４０による検出から通過するまでの所定時間を予め算出しておく、または水平搬送装置２０の短手方向（センターコラム１４側）の両端にガイドロッド１４ａ通過前を検出する第１センサとガイドロッド１４ａの通過後を検出する第２センサを設ける構成などを適用することができる。
本実施例のセンターコラム１４は３つのガイドロッド１４ａがあるため、水平搬送装置２０が１周回する間に貨物の払い出し量を多くする制御を３回行っている。
このような本発明の水平スクリュー式サイロによれば、旋回移動する水平搬送装置がガイドロッドを通過する際の貨物の払い出し量を増やして、ガイドロッドが堰となっていた貨物の不足分を補うことができ、貨物倉から外部へ安定して払い出し供給することができる。
【００２６】
［変形例］
図４は変形例の水平スクリュー式サイロの運転方法の模式図である。図示のように変形例の水平スクリュー式サイロは、ガイドロッド１４ｂの断面形状を多角形状、好ましくは角部が鋭角となるように設定している。本実施形態では、一例としてガイドロッド１４ｂの断面形状を三角形に設定し、角部をセンターコラム１４の中心軸から放射状に配置、換言すると、旋回移動する水平搬送装置２０に向けて配置している。
なお、ガイドロッド１４ｂに摺動する第３ローラ３８は、ローラの外周となる摺動面を角部に沿って形成、換言すると角部が嵌るように形成すると良い。
【００２７】
このような構成の変形例の水平スクリュー式サイロは、旋回移動する水平搬送装置２０がガイドロッド１４ｂを通過する際の貨物の払い出し量を増やすと共に、断面多角形状のガイドロッド１４ｂが貨物の堰とならず、センターコラム１４に向けて払い出し易くなり、ガイドロッド１４ｂが堰となっていた貨物の不足分を補うことができ、貨物を安定して払い出し供給することができる。
なお、本発明の水平スクリュー式サイロは、制御部による旋回フレームの旋回速度及び水平スクリューの回転速度の制御と、断面多角形状のガイドロッドの構成といずれか一方の構成とし、あるいは制御部による旋回フレームの旋回速度及び水平スクリューの回転速度の制御と、断面多角形状のガイドロッドの構成を組み合わせた構成としても良い。
【符号の説明】
【００２８】
１………水平スクリュー式サイロ、１１………水平スクリューコンベア、１２………貨物倉、１２ａ………円筒壁面、１３………テレスコピックシュート、１４………センターコラム、１４ａ，１４ｂ………ガイドロッド、１５………排出コンベア、１６………旋回筒、１８………旋回フレーム、１８ａ………吊下げワイヤ、２０………水平搬送装置、２１ａ，２１ｂ………水平スクリュー、２２………スクリューフレーム部、２３ａ，２３ｂ………駆動機、３０………旋回ローラユニット、３２………内リング、３４………外リング、３６………第１ローラ、３７………第２ローラ、３８………第３ローラ、４０………センサ、５０………制御部。
【図１】
2018144896.tif 000003
【図２】
2018144896.tif 000004
【図３】
2018144896.tif 000005
【図４】
2018144896.tif 000006
【図５】
2018144896.tif 000007
【図６】
2018144896.tif 000008